(57)【要約】【課題】床面に近い側の棚板に設けられたカードの商品関連情報を顧客に見易くするとともに、フロントストッパーの損傷や顧客の怪我を防止すること。【解決手段】スペーサ５は、薄肉ヒンジ部３２を支点として前後方向a、bへ揺動可能なカード収容部３３と少なくともベース棚１を含む商品陳列用棚板２の上面前端部２１に固定される垂直板状ストッパー部３１とを有するフロントストッパー３のカード収容部３３に対して取り付けられる。スペーサ５は、カード収容部３３の左下コーナー部３３c又は右下コーナー部３３dを覆うコーナー保護部５１と、コーナー保護部５１に延設され、棚板２の前面２３に当接してカード収容部３３の上向き角度を増大させる角度変更部５３とを有する。【選択図】図３
0003123249.tif 000002
【実用新案登録請求の範囲】
【請求項１】
薄肉ヒンジ部を支点として前後方向へ揺動可能なカード収容部と少なくともベース棚を含む商品陳列用棚板の上面前端部に固定される垂直板状ストッパー部とを有するフロントストッパーの前記カード収容部に対して取り付けられるスペーサであって、
前記カード収容部の左下コーナー部又は右下コーナー部を覆うコーナー保護部と、該コーナー保護部に延設され、前記棚板の前面に当接して前記カード収容部の上向き角度を増大させる角度変更部とを有することを特徴とするスペーサ。
【請求項２】
前記角度変更部は弾性を有し、前記フロントストッパーの前記カード収容部に加わる衝撃を吸収することを特徴とする請求項１に記載のスペーサ。
【請求項３】
前記コーナー保護部は弾性を有し、前記カード収容部の左下コーナー部又は右下コーナー部に弾性保持されることを特徴とする請求項１に記載のスペーサ。
【請求項４】
前記コーナー保護部は弾性を有し、前記カード収容部の左下コーナー部又は右下コーナー部に弾性保持されることを特徴とする請求項２に記載のスペーサ。
【考案の詳細な説明】
【技術分野】
【０００１】
本考案は、スペーサ、特に、商品陳列用棚板の上面前端部に固定されるフロントストッパーのカード収容部の上向き角度を増大させるスペーサに関する。
【背景技術】
【０００２】
商品陳列棚として、床面に設置されるベース棚を含む各棚板の上面前端部に、商品の脱落を防止するためのフロントストッパーを固定するとともに、フロントストッパーにカード収容部を設け、このカード収容部に、陳列商品に関する価格、商品名、広告宣伝などの商品関連情報を記入したカードを収容するようにした商品陳列棚が公知である。
【０００３】
しかし、床面に近い側の棚板に設けられたカードは、顧客の足元近くに位置するため、顧客にとって見づらいという問題がある。また、床面に近い側の棚板のフロントストッパーの端部には、顧客の靴や体が触れ易く、フロントストッパーが損傷したり、顧客が傷つくおそれもある。
【考案の開示】
【考案が解決しようとする課題】
【０００４】
本考案は、上記のような問題点を解決することを目的としてなされたものであり、床面に近い側の棚板に設けられたカードの商品関連情報を顧客に見易くするとともに、フロントストッパーの損傷や顧客の怪我を防止することを目的とする。
【課題を解決するための手段】
【０００５】
本考案のスペーサは、薄肉ヒンジ部を支点として前後方向へ揺動可能なカード収容部と少なくともベース棚を含む商品陳列用棚板の上面前端部に固定される垂直板状ストッパー部とを有するフロントストッパーの前記カード収容部に対して取り付けられるスペーサであって、前記カード収容部の左下コーナー部又は右下コーナー部を覆うコーナー保護部と、該コーナー保護部に延設され、前記棚板の前面に当接して前記カード収容部の上向き角度を増大させる角度変更部とを有することを特徴とする。
【０００６】
本考案のスペーサにおいて、商品陳列用棚板の上面前端部に垂直板状ストッパー部を固定したフロントストッパーに対し、そのカード収容部の左下コーナー部又は右下コーナー部にスペーサのコーナー保護部を取り付け、スペーサの角度変更部を棚板の前面に当接させるようにすると、フロントストッパーのカード収容部は、薄肉ヒンジ部を支点として前後方向へ揺動可能なため、カード収容部の上向き角度は増大するようになる。このカード収容部の上向き角度の増大により、棚板が床面に近い側に位置していてもカード収容部に収容されているカードの上向き角度が増大し、カードに記入されている商品関連情報を顧客が見易くなる。また、フロントストッパーのカード収容部の左下コーナー部又は右下コーナー部はスペーサのコーナー保護部によって保護されるため、フロントストッパーの損傷を防止できるとともに、顧客の怪我も防止可能になる。
【０００７】
ここで、前記角度変更部に弾性を付与し、前記フロントストッパーの前記カード収容部に加わる衝撃を吸収できるようにすると、フロントストッパーの損傷及び顧客の怪我をより一層防止できるようになる。
【０００８】
また、前記コーナー保護部に弾性を付与し、前記カード収容部の左下コーナー部又は右下コーナー部に弾性保持されるようにすると、スペーサを接着剤等を用いることなくフロントストッパーのカード収容部に確実に取り付けることができ、また、取り外しも容易に行うことができる。
【考案を実施するための最良の形態】
【０００９】
以下、本考案の実施形態を図面に基づいて説明する。
【００１０】
図１は、本考案の一実施形態に係るスペーサを使用した商品陳列棚の左側面図、図２は、同商品陳列棚の正面図、図３は、同商品陳列棚のベース棚の前端部分の拡大断面図、図４は、一実施形態に係るスペーサの斜視図、図５は、第１変形例に係るスペーサの斜視図、図６は、第２変形例に係るスペーサの斜視図及び平面図、図７は、第３変形例に係るスペーサの斜視図及び平面図、図８は、さらなる変形例に係るスペーサのコーナー保護部の断面図をそれぞれ示す。
【００１１】
図１及び図２において、商品陳列棚１００は、床面２００に設置されるベース棚１を含む複数段からなる棚板２を備える。各々の棚板２の上面前端部２１には、横方向に長い樹脂製のフロントストッパー３が固定される。
【００１２】
フロントストッパー３は、図３に示すように、棚板２の上面前端部２１に形成された長溝２２に下端部３１aが挿入固定される垂直板状ストッパー部３１を有する。垂直板状ストッパー部３１の上端は薄肉ヒンジ部３２で構成される。薄肉ヒンジ部３２には、商品関連情報が記入されるカード４を収容するカード収容部３３が延設されている。カード収容部３３は、薄肉ヒンジ部３２の自由端から下方へ延びた後面板部３３aと、後面板部３３aの自由端からU字状に湾曲し後面板部３３aの前面に密接する前面板部３３bとを有し、後面板部３３aと前面板部３３bとの間にカード４が挿入され収容される。カード収容部３３は、薄肉ヒンジ部３２を支点として前後方向a、bへ揺動可能に構成されており、通常は、棚板２の前面２３と当接状態にあり、僅かに上向いた状態にある。
【００１３】
床面２００に近い側に位置する棚板２、つまり少なくともベース棚１を含む棚板２に固定されたフロントストッパー３の左端部３a及び右端部３bには、それぞれスペーサ５が取り付けられている。
【００１４】
スペーサ５は、樹脂材料からなり、フロントストッパー３のカード収容部３３の左下コーナー部３３c又は右下コーナー部３３dに取り付けられる。
【００１５】
フロントストッパー３のカード収容部３３の左下コーナー部３３cに取り付けられるスペーサ５は、コーナー保護部５１を有し、コーナー保護部５１は、図３及び図４に示すように、左下コーナー部３３cの前面を覆うL字状前板部５１aと、左下コーナー部３３cの左側面を覆う左側板部５１bと、左下コーナー部３３cの下面を覆う底板部５１cと、L字状前板部５１aの下部と底板部５１cと共に断面U字状のコーナー取付部５２を構成する後板部５１dとを有する。
【００１６】
コーナー保護部５１の左側板部５１bの後自由端からは、角度変更部５３が後方へ延びている。角度変更部５３の後端５３aは、図３に示すように、棚板２の前面２３に当接している。
【００１７】
上記のように構成されるスペーサ５をフロントストッパー３のカード収容部３３の左下コーナー部３３cに取り付けるにあたっては、カード収容部３３を薄肉ヒンジ部３２を支点として前方aへ回動し、カード収容部３３と棚板２の前面２３との間にスペーサ５が入るだけのスペースをつくった状態でスペーサ５の断面U字状のコーナー取付部５２を左下コーナー部３３cに下方からコーナー取付部５２のばね弾性を利用し、あるいは接着剤を用いて取り付け、取付作業を終了する。この取付作業終了により、カード収容部３３の上向き角度は、スペーサ５の角度変更部５３の後端５３aが棚板２の前面２３に当接した状態に保持されるようになる。このカード収容部３３の上向き角度は、スペーサ５の角度変更部５３により、フロントストッパー３にスペーサ５が取り付けられていないフロントストッパー３のカード収容部３３（図１の最上段及び第２段目の棚板２に取り付けられたフロントストッパー３のカード収容部３３に対応する。）の上向き角度よりも増大する。
【００１８】
したがって、少なくともベース棚１を含む床面２００に近い側に位置している棚板２のカード収容部３３に収容されているカード４の上向き角度が増大し、カード４に記入されている商品関連情報を顧客が見易くなる。また、フロントストッパー３のカード収容部３３の左下コーナー部３３cはスペーサ５のコーナー保護部５１によって保護されるため、フロントストッパー３の損傷を防止できるとともに、顧客の怪我も防止可能になる。
【００１９】
なお、図示は省略したが、カード収容部３３の右下コーナー部３３dに取り付けられるスペーサ５は、図４に示したスペーサ５に対して左右対称な構造を有しており、上述したスペーサ５と同様の作用効果を奏する。
【００２０】
図５において、第１変形例に係るスペーサ５は、図４に示したスペーサ５と同様、コーナー保護部５１を有し、コーナー保護部５１は、左下コーナー部３３cの前面を覆うL字状前板部５１aと、左下コーナー部３３cの左側面を覆う左側板部５１bと、左下コーナー部３３cの下面を覆う底板部５１cと、L字状前板部５１aの下部と底板部５１cと共に断面U字状のコーナー取付部５２を構成する後板部５１dとを有する。ただし、角度変更部５３は、コーナー保護部５１の左側板部５１bの後自由端５１eから斜め後方へ延びており、この角度変更部５３にばね弾性をもたせている。角度変更部５３の後面端部５３bは、棚板２の前面２３に当接する。
【００２１】
図５に示したスペーサ５は、図４に示したスペーサ５と同様な作用効果を奏し、さらに、角度変更部５３が弾性を有しているため、フロントストッパー３のカード収容部３３に加わる衝撃を吸収できるようになり、フロントストッパー３の損傷及び顧客の怪我をより一層防止できるようになる。
【００２２】
図６（A）、（B）において、第２変形例に係るスペーサ５は、図５に示したスペーサ５と同様、コーナー保護部５１を有し、コーナー保護部５１は、左下コーナー部３３cの前面を覆うL字状前板部５１aと、左下コーナー部３３cの左側面を覆う左側板部５１bと、左下コーナー部３３cの下面を覆う底板部５１cと、L字状前板部５１aの下部と底板部５１cと共に断面U字状のコーナー取付部５２を構成する後板部５１dとを有する。ただし、角度変更部５３は、後板部５１dの右自由端５１fから斜め後方へ平面視V字状に延びている。このスペーサ５によっても、図４に示したスペーサ５と同様な作用効果を奏し、さらに、角度変更部５３が弾性を有しているため、フロントストッパー３のカード収容部３３に加わる衝撃を吸収できるようになり、フロントストッパー３の損傷及び顧客の怪我をより一層防止できるようになる。
【００２３】
図７（A）、（B）において、第３変形例に係るスペーサ５は、図６に示したスペーサ５と同様、コーナー保護部５１を有し、コーナー保護部５１は、左下コーナー部３３cの前面を覆うL字状前板部５１aと、左下コーナー部３３cの左側面を覆う左側板部５１bと、左下コーナー部３３cの下面を覆う底板部５１cと、L字状前板部５１aの下部と底板部５１cと共に断面U字状のコーナー取付部５２を構成する後板部５１dとを有する。ただし、角度変更部５３は、後板部５１dの上自由端５１gから斜め後方へ側面視V字状に延びている。このスペーサ５によっても、図４に示したスペーサ５と同様な作用効果を奏し、さらに、角度変更部５３が弾性を有しているため、フロントストッパー３のカード収容部３３に加わる衝撃を吸収できるようになり、フロントストッパー３の損傷及び顧客の怪我をより一層防止できるようになる。
【００２４】
図８において、さらなる変形例に係るスペーサ５は、開口部が幅狭な断面U字状又はJ字状のコーナー取付部５２に弾性を付与し、さらに、コーナー取付部５２の前板部５１aの上端部に内方へ向かう突起５１ｈを形成し、この突起５１hがカード収容部３３の左下コーナー部３３c又は右下コーナー部３３dの凹部３３eに係止されるよう構成したことを特徴とする。
【００２５】
このように、コーナー保護部５１の一部であるコーナー取付部５２に弾性を付与したことにより、スペーサ５を接着剤等を用いることなくフロントストッパー３のカード収容部３３に確実に取り付けることができ、また、取り外しも容易に行うことができる。また、上記突起５１hにより、取付状態をより一層確実化することができる。
【図面の簡単な説明】
【００２６】
【図１】本考案の一実施形態に係るスペーサを使用した商品陳列棚の左側面図である。
【図２】同商品陳列棚の正面図である。
【図３】同商品陳列棚のベース棚の前端部分の拡大断面図である。
【図４】一実施形態に係るスペーサの斜視図である。
【図５】第１変形例に係るスペーサの斜視図である。
【図６】（A）は第２変形例に係るスペーサの斜視図であり、（B）は平面図である。
【図７】（A）は第３変形例に係るスペーサの斜視図であり、（B）は平面図である。
【図８】さらなる変形例に係るスペーサのコーナー保護部の断面図である。
【符号の説明】
【００２７】
１    ベース棚（棚板）
２    棚板
２１    上面前端部
２３    前面
３    フロントストッパー
３１    垂直板状ストッパー部
３２    薄肉ヒンジ部
３３    カード収容部
３３c    左下コーナー部
３３d    右下コーナー部
５    スペーサ
５１    コーナー保護部
５３    角度変更部
【図１】
0003123249.tif 000003
【図２】
0003123249.tif 000004
【図３】
0003123249.tif 000005
【図４】
0003123249.tif 000006
【図５】
0003123249.tif 000007
【図６】
0003123249.tif 000008
【図７】
0003123249.tif 000009
【図８】
0003123249.tif 000010